(57)【要約】【課題】  模型玩具を収納する収納装置本体も遊びに供することができる模型玩具収納装置を提供する。【解決手段】  内部および上部の収納スペース２１、２２に自動車玩具を収納して展示できる。また、保持部材２７を移動させることにより、天板２３の前部を下方へ回動させ、前部扉２５を前方へ開き、連絡通路２６と連続させることにより、入口２４から天板２３の上に自動車玩具を移動させて収納する遊びができる。さらに、収納装置本体２０の外観が玩具を構成しているので、収納装置本体２０自体を用いて、別の遊びができるという効果を有する模型玩具収納装置を提供することができる。【選択図】  図１
2012011029.tif 000002
【特許請求の範囲】
【請求項１】
模型玩具を収納する模型玩具収納装置であって、
内部および上部に前記模型玩具を収納する収納スペースを有するとともに外観が玩具を構成する全体箱状の収納装置本体を有し、
前記収納装置本体の上部に設けられ前部が上下に回動可能な天板と、
前記収納装置本体の前部に設けられた入口を開閉可能な前部扉と、
前方へ開いた前記前部扉と下方へ回動した前記天板との間を連絡する連絡通路と、
前記天板を上方位置に保持するとともに、前記前部扉を閉じた状態に保持する保持部材と、を備え、
前記保持部材を移動させることにより、前記天板の前部を下方へ移動させて前記連絡通路の後端部に接続するとともに、前記前部扉を前方へ開いて前記連絡通路の前端部に接続して、前記入口から前記天板へ前記模型玩具を導入可能とすることを特徴とする模型玩具収納装置。
【請求項２】
請求項１において、
前記収納装置本体の一対の側面が、異なる玩具を表示する模型玩具収納装置。
【請求項３】
請求項１又は請求項２において、
前記側面が開閉可能であって前記収納装置本体の内部が視認可能である模型玩具収納装置。
【発明の詳細な説明】
【技術分野】
【０００１】
本発明は、模型玩具収納装置に関するものである。
【背景技術】
【０００２】
自動車玩具の収納だけにとどまらず別の遊びに供することができる自動車玩具用包装箱が提案されている（特許文献１参照）。図７に示すように、特許文献１に記載の自動車玩具用包装箱１００は、自動車の収納設備であるガレージを模した包装箱本体１０１と、自動車玩具１０２を収納する透明ケース１０３を有する。販売時には、包装箱本体１０１の前面の開口部１０４から、透明ケース１０３に収納された自動車玩具１０２を見ることができるようになっている。また、包装箱本体１０１の上蓋１０５前端の差込片１０６はシャッターを模した図柄となっており、開口部１０４の全面を閉じない大きさとなっている。
【０００３】
このように包装箱本体１０１がガレージを模しているため、自動車玩具１０２を収納している場合には収納箱として用い、自動車玩具１０２を包装箱本体１０１から取り出した状態では、自動車玩具１０２をガレージに出し入れする遊びをすることができる。
【先行技術文献】
【特許文献】
【０００４】
【特許文献１】登録実用新案第３０６９５２１号公報（第１図）
【発明の概要】
【発明が解決しようとする課題】
【０００５】
しかしながら、前述したような従来の自動車玩具用包装箱１００においては、自動車玩具１０２をガレージに出し入れする遊びをすることができるが、ガレージ自体は遊びに供することができないという問題があった。
【０００６】
そこで、本発明は、上記の問題を鑑みてなされたものであり、自動車玩具を収納する収納装置本体も遊びに供することができる模型玩具収納装置を提供することを目的とする。
【課題を解決するための手段】
【０００７】
本発明の模型玩具収納装置は、模型玩具を収納する模型玩具収納装置であって、内部および上部に模型玩具を収納する収納スペースを有するとともに外観が玩具を構成する全体箱状の収納装置本体を有し、収納装置本体の上部に設けられ前部が上下に回動可能な天板と、収納装置本体の前部に設けられた入口を開閉可能な前部扉と、前方へ開いた前部扉と下方へ回動した前記天板との間を連絡する連絡通路と、天板を上方位置に保持するとともに、前部扉を閉じた状態に保持する保持部材と、を備え、保持部材を移動させることにより、天板の前部を下方へ移動させて連絡通路の後端部に接続するとともに、前部扉を前方へ開いて連絡通路の前端部に接続して、入口から天板へ模型玩具を導入可能とする構成を有している。
【０００８】
また、本発明の模型玩具収納装置は、収納装置本体の一対の側面が、異なる玩具を表示する構成を有していることが好ましい。また、本発明の模型玩具収納装置は、側面が開閉可能であって収納装置本体の内部が視認可能である構成を有していることが好ましい。
【発明の効果】
【０００９】
本発明に係る模型玩具収納装置によれば、内部および上部の収納スペースに模型玩具を収納できる。また、保持部材を移動させることにより、天板の前部を下方へ回動させ、前部扉を前方へ開き、前方へ開いた前部扉と下方へ回動した天板との間を連絡通路により連絡するので、入口から天板の上に模型玩具を移動させて収納する遊びができる。また、収納装置本体の外観が玩具を構成しているので、収納装置本体自体を用いて、別の遊びができるという効果を有する模型玩具収納装置を提供することができる。
【図面の簡単な説明】
【００１０】
【図１】本発明にかかる実施形態の模型玩具収納装置を右前部上方から見た斜視図である。
【図２】図１中Ｂ方向から見た右側面図である。
【図３】図１中Ｃ方向から見た平面図である。
【図４】模型玩具収納装置を左後部上方から見た斜視図である。
【図５】保持部材を示す本体前部の斜視図である。
【図６】保持部材の正面図、平面図、底面図、左右側面図である。
【図７】従来の模型玩具収納装置を示す斜視図である。
【発明を実施するための形態】
【００１１】
以下、本発明に係る好適な実施の形態について、図面を参照しながら説明する。図１に示すように、本発明にかかる実施形態の模型玩具収納装置１０は、内部および上部に自動車玩具（図示省略）を収納する収納スペース２１，２２を有する収納装置本体２０を有する。収納装置本体２０は、外観が玩具を構成する全体箱状を呈しており、本体前部２０１および本体後部２０２は乗り物玩具の前部および後部の形状をしていて、本体前部２０１および本体後部２０２の間には矩形箱状の本体中央部２０３、２０４を有する。
【００１２】
本体中央部２０３、２０４の左右の側板２０３Ａ、２０３Ｂ、２０４Ａ、２０４Ｂは、各々下端部に設けられているヒンジ２０８を中心として開閉可能となっている。一対の側面である左右の側板２０３Ａ、２０３Ｂ、２０４Ａ、２０４Ｂの外面には、本体前部２０１および本体後部２０２の側面とともに、左右で異なる乗り物玩具の絵が描かれている。これにより、２種類の玩具として遊ぶことが  できる。
【００１３】
例えば、収納装置本体２０は、右側（図１中Ｂ方向）から見ると側板２０３Ａ、２０４Ａは、例えばパトカーの形状および色彩を有しており、左側（図１中Ｃ方向）から見ると側板２０３Ｂ、２０４Ｂは、例えば新幹線の形状および色彩を有する（図４参照）。また、本実施の形態では、本体前部２０１および本体後部２０２は、ヒンジ２１８で接続されており、ヒンジ２１８を中心として側板２０３Ｂと側板２０４Ｂが接する方向に折り返すことが可能である。これにより、ヒンジ２１８で折り返すことによって、パトカーらしい形状に変形することができる。
【００１４】
また、各側板２０３Ａ、２０３Ｂ、２０４Ａ、２０４Ｂの内面には、適宜絵が描かれている。例えば、側板２０３Ａの内面には、線路等の鉄道に関するものが描かれている。また、側板２０４Ａの内面には、駐車場や立体駐車場等の自動車に関するものが描かれている。これら線路や駐車場には、自動車玩具を載置して駐車することができる。なお、ここでは、中央で分割された２つの本体中央部２０３、２０４が設けられているが、１個の中央部でも構わない。あるいは３個以上でも構わない。
【００１５】
本体前部２０１の前端には入口２４が切欠形成されており、この入口２４には前部扉２５が下端部のヒンジ２５１を中心として開閉可能に設けられている。前部扉２５は閉じた状態では収納装置本体２０の本体前部２０１の一部を構成し、ヒンジ２５１を中心として下方（図２中矢印Ｂ方向）へ開いた状態では、自動車玩具を入口２４に導く誘導路の機能を果たす。
【００１６】
図２に示すように、本体前部２０１の内部には、連絡通路２６が設けられている。連絡通路２６の前端は、開いた状態の前部扉２５の後端部に連続する。また、連絡通路２６の後端は、本体中央部２０３の前端部で高さ方向中央位置に配設されており、天板２３が下方へ回動した状態で支持する支持部２６１が切欠形成されている。
【００１７】
図１および図３に示すように、本体中央部２０３の上面の幅方向両端には、上部フレーム２０５が前後方向に延設されており、上部フレーム２０５、２０５の間には上部開口部２０６が設けられている。
【００１８】
上部開口部２０６には、天板２３がヒンジ２３１によって上下方向に回動可能に支持されている。天板２３は、収納装置本体２０の略全幅にわたる幅を有する板状部材であり、自動車玩具を駐車させる幅を有する。天板２３は、水平状態で上面に自動車玩具を載せる上部の収納スペース２２の機能を果たす。また、天板２３は、前部を下方（図２中矢印Ａ方向）へ回動させることにより連絡通路２６の後端部の支持部２６１（図２参照）に係止され、連絡通路２６に連続した進入路の機能を果たす。
【００１９】
図５に示すように、収納装置本体２０の前部フレーム２０１に沿って、上下斜め方向へ摺動可能な保持部材２７が設けられている。保持部材２７は、上端位置において天板２３を水平状態に保持するとともに、前部扉２５を閉状態に保持する。また、下方へ移動することにより、天板２３の保持を解除して自重によりを下方へ回動させるとともに、前部扉２５の上端部を前方へ押し出して、自重により前方へ開く。
【００２０】
図６に示すように、保持部材２７は、細長い板状の保持部材本体２７１を有し、保持部材本体２７１の上面上端部付近にはレバー２７２が突設されている。レバー２７２は、本体前部２０１に設けられている前面開口部２０７から突出しており、外からレバー２７２を操作して保持部材２７の上下移動を行う。また、保持部材本体２７１の上端部には水平部２７３が設けられており、天板２３の下面を支持して天板２３を水平状態に保持する。
【００２１】
次に、模型玩具収納装置１０の遊び方について説明する。
（第１の遊び方）
収納装置本体２０の側板２０３Ａ、２０３Ｂ、２０４Ａ、２０４Ｂを閉じ、天板２３を水平に保持し、前部扉２５を閉じると、収納装置本体２０が１個の乗り物玩具となる。収納装置本体２０の左側面が見えるようにすると、新幹線として遊ぶことができる。また、ヒンジ２１８で折り返し、右側面が見えるようにすると、パトカーとして遊ぶことができる。
【００２２】
（第２の遊び方）
収納装置本体２０の例えば右側の側板２０３Ａ、２０４Ａを開けて内部が見えるようにすると、内部収納スペース２１が見えるので、内部収納スペース２１に自動車玩具を載置して収容し、自動車玩具の駐車場として展示することができる。また、上部収納スペース２２にも、自動車玩具を収容できる。
【００２３】
（第３の遊び方）
本体前部２０１の前面開口部２０７から突出している保持部材２７のレバー２７２を下方へスライドさせると、保持部材２７の先端の水平部２７３に保持されている天板２３の前端部が外れて自重により下方へ回動し、天板２３の先端部が連絡通路２６の支持部２６１に当接して支持される。また、同時に保持部材２７の前方への移動により、保持部材２７の前端部が前部扉２５の上端部を前方へ押し出して、前部扉２５を開く。
【００２４】
これにより、自動車玩具を、前部扉２５から前面の入口２４を入って連絡通路２６へ導き、さらに回動した天板２３を通って、本体中央部２０４の上部収納スペース２２に移動させ、自動車玩具を駐車させる遊びができる。なお、自動車玩具を上部収納スペース２２に駐車させた後、天板２３を水平状態に回動させて保持部材２７の支持部２６１で保持し、自動車玩具を上部収納スペース２２から天板２３の上面へ移動させて駐車させることもできる。
【００２５】
以上、説明した本発明に係る実施形態の模型玩具収納装置１０によれば、収納装置本体２０は、内部および上部に収納スペース２１、２２を有しており、この収納スペース２１、２２に自動車玩具を収納する。すなわち、天板２３を水平状態に保持するとともに、前部扉２５を閉じた状態に保持する保持部材２７を有するので、天板２３の前部を水平状態に保持した状態で、上部の収納スペース２２および天板２３の上面に自動車玩具を載置して収納できる。また、保持部材２７を移動させることにより、天板２３の前部を下方へ回動させ、前部扉２５を前方へ開き、天板２３および前部扉２５を連絡通路２６と接続させることにより、入口２４から上部収納スペース２２および天板２３の上に自動車玩具を移動させて収納する遊びができる。また、収納装置本体２０の外観が玩具を構成しているので、収納装置本体２０自体を用いて、別の遊びができる。
【００２６】
また、模型玩具収納装置１０の収納装置本体２０は、一対の側面が異なる玩具を表示するので、模型玩具収納装置１０を右側から見た場合と、左側から見た場合とで、異なる遊びに供することができる。
【００２７】
さらに、収納装置本体２０の側板２０３Ａ、２０３Ｂ、２０４Ａ、２０４Ｂが開閉可能であって収納装置本体２０の内部が視認可能であるので、自動車玩具の収納状態を展示することができる。また、入口から天板の上に自動車玩具を移動させて収納する状態を見ながら遊ぶことができる。
【００２８】
以上、本発明の好ましい実施例について詳述したが、本発明に係る模型玩具収納装置は、上述した実施形態に限定されるものではなく、特許請求の範囲に記載された本発明の要旨の範囲内において、種々の変形、変化が可能である。例えば、前述した実施形態では、一方の側面に新幹線を表示し、他方の側面にパトカーを表示した場合を例示したが、これに限るものではない。また、模型玩具として自動車玩具を例示したが、これに限るものではない。
【符号の説明】
【００２９】
１０  模型玩具収納装置
２０  収納装置本体
２０１  本体前部（前部）
２０３Ａ、２０３Ｂ、２０４Ａ、２０４Ｂ  側板（側面）
２１  内部収納スペース（収納スペース）
２２  上部収納スペース（収納スペース）
２３  天板
２４  入口
２５  前部扉
２６  連絡通路
２７  保持部材
【図１】
2012011029.tif 000003
【図２】
2012011029.tif 000004
【図３】
2012011029.tif 000005
【図４】
2012011029.tif 000006
【図５】
2012011029.tif 000007
【図６】
2012011029.tif 000008
【図７】
2012011029.tif 000009
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
模型玩具を収納する模型玩具収納装置であって、
内部および上部に前記模型玩具を収納する収納スペースを有するとともに外観が玩具を構成する全体箱状の収納装置本体を有し、
前記収納装置本体の上部に設けられ前部が上下に回動可能な天板と、
前記収納装置本体の前部に設けられた入口を開閉可能な前部扉と、
前方へ開いた前記前部扉と下方へ回動した前記天板との間を連絡する連絡通路と、
前記天板を上方位置に保持するとともに、前記前部扉を閉じた状態に保持する保持部材と、を備え、
前記保持部材を移動させることにより、前記天板の前部を下方へ移動させて前記連絡通路の後端部に接続するとともに、前記連絡通路の前端部に回動可能に設けられた前記前部扉を前方へ開いて前記連絡通路の前端部に接続して、前記入口から前記天板へ前記模型玩具を導入可能とすることを特徴とする模型玩具収納装置。
【請求項２】
請求項１において、
前記収納装置本体の一対の側面が、異なる玩具を表示する模型玩具収納装置。
【請求項３】
請求項２において、
前記側面が開閉可能であって前記収納装置本体の内部が視認可能である模型玩具収納装置。
【手続補正２】
【補正対象書類名】明細書
【補正対象項目名】０００７
【補正方法】変更
【補正の内容】
【０００７】
本発明の模型玩具収納装置は、模型玩具を収納する模型玩具収納装置であって、内部および上部に模型玩具を収納する収納スペースを有するとともに外観が玩具を構成する全体箱状の収納装置本体を有し、収納装置本体の上部に設けられ前部が上下に回動可能な天板と、収納装置本体の前部に設けられた入口を開閉可能な前部扉と、前方へ開いた前部扉と下方へ回動した前記天板との間を連絡する連絡通路と、天板を上方位置に保持するとともに、前部扉を閉じた状態に保持する保持部材と、を備え、保持部材を移動させることにより、天板の前部を下方へ移動させて連絡通路の後端部に接続するとともに、前記連絡通路の前端部に回動可能に設けられた前部扉を前方へ開いて連絡通路の前端部に接続して、入口から天板へ模型玩具を導入可能とする構成を有している。
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
模型玩具を収納する模型玩具収納装置であって、
内部および上部に前記模型玩具を収納する収納スペースを有するとともに外観が玩具を構成する全体箱状の収納装置本体を有し、
前記収納装置本体の上部に設けられ前部が上下に回動可能な天板と、
前記収納装置本体の前部に設けられた入口を開閉可能な前部扉と、
前方へ開いた前記前部扉と下方へ回動した前記天板との間を連絡する連絡通路と、
前記天板を上方位置に保持するとともに、前記前部扉を閉じた状態に保持する保持部材と、を備え、
前記保持部材を移動させることにより、前記天板の前部を下方へ移動させて前記連絡通路の後端部に接続するとともに、前記入口の下端部を中心として回動可能に設けられた前記前部扉を前方へ開いて前記連絡通路の前端部に接続して、前記入口から前記天板へ前記模型玩具を導入可能とすることを特徴とする模型玩具収納装置。
【請求項２】
請求項１において、
前記収納装置本体の一対の側面が、異なる玩具を表示する模型玩具収納装置。
【請求項３】
請求項２において、
前記側面が開閉可能であって前記収納装置本体の内部が視認可能である模型玩具収納装置。
【手続補正２】
【補正対象書類名】明細書
【補正対象項目名】０００７
【補正方法】変更
【補正の内容】
【０００７】
本発明の模型玩具収納装置は、模型玩具を収納する模型玩具収納装置であって、内部および上部に模型玩具を収納する収納スペースを有するとともに外観が玩具を構成する全体箱状の収納装置本体を有し、収納装置本体の上部に設けられ前部が上下に回動可能な天板と、収納装置本体の前部に設けられた入口を開閉可能な前部扉と、前方へ開いた前部扉と下方へ回動した前記天板との間を連絡する連絡通路と、天板を上方位置に保持するとともに、前部扉を閉じた状態に保持する保持部材と、を備え、保持部材を移動させることにより、天板の前部を下方へ移動させて連絡通路の後端部に接続するとともに、入口の下端部を中心として回動可能に設けられた前部扉を前方へ開いて連絡通路の前端部に接続して、入口から天板へ模型玩具を導入可能とする構成を有している。